(57)【要約】【課題】心電計測を高精度にする。【解決手段】差動増幅器３４には、ステアリングホイール２２のステアリング電極１２が接続されていると共に、シート電極１６が切替部４２を介して接続されており、切替部４２は、シート電極１６を接地極ＧＮＤに接続する接地状態と差動増幅器３４に接続する非接地状態とに切替える。制御部４４は、差動増幅器３４の差動信号から乗員の除電が終了したと判断されると、シート電極１６を接地状態から非接地状態に切替える。これにより、乗員の除電が終了した適切なタイミングで心電波形の計測を開始できる。【選択図】図１
2020195728.tif 000002
【特許請求の範囲】
【請求項１】
ステアリング体に設けられた第１電極部と、
乗員が着座する座席に設けられた第２電極部と、
前記第２電極部を接地極に接続した接地状態と前記接地極に非接続の非接地状態とに切替える切替部と、
前記第２電極部の前記非接地状態において、前記第１電極部と前記第２電極部との差動電圧を検出し、前記第２電極部の前記接地状態において、前記第１電極部と前記接地極との差動電圧を検出する検出部と、
前記検出部の検出結果に応じて前記切替部を制御する制御部と、
を含む車両用心電検出装置。
【請求項２】
前記制御部は、前記第２電極部を前記接地状態として、前記検出部の検出結果から乗員の除電が終了したと判定される場合に、前記第２電極部が前記接地状態から前記非接地状態となるように前記切替部を制御する請求項１記載の車両用心電検出装置。
【請求項３】
前記制御部は、前記第２電極部を前記非接地状態として、前記検出部の検出結果から乗員の除電が必要と判定される場合に、前記第２電極部が前記非接地状態から前記接地状態となるように前記切替部を制御する請求項１又は請求項２記載の車両用心電検出装置。
【請求項４】
前記座席に着座した乗員が帯電したか否かを判定するための帯電情報を検出する帯電情報検出部を更に含み、
前記制御部は、前記帯電情報検出部の検出結果と前記検出部の検出結果とに応じて、乗員の除電が必要か否かを判定する請求項３記載の車両用心電検出装置。
【請求項５】
前記切替部は、前記第２電極部と前記検出部との接続部を前記接地状態と前記非接地状態とに切替える請求項１から請求項４の何れか１項記載の車両用心電検出装置。
【請求項６】
前記第１電極部は、各々が帯状とされた第１導電層、第１絶縁層、第２導電層、第２絶縁層及び第３導電層が順に積層され、前記第３導電層が前記ステアリング体の基体側にされて該基体の外周に螺旋状に巻回されて設けられ、前記第３導電層が接地され、前記第１導電層及び前記第２導電層が前記検出部に接続されている請求項１から請求項５の何れか１項記載の車両用心電検出装置。
【発明の詳細な説明】
【技術分野】
【０００１】
本発明は、車両に搭載され、乗員の心電波形を検出する車両用心電検出装置に関する。
【背景技術】
【０００２】
ステアリングホイールや車両用シートに電極を設けて、乗員の心電波形を検出する技術が知られている。
【０００３】
一方、特許文献１の生体情報測定装置には、ステアリングホイール２の電極部１０、２０が第１電極１１、２１と第２電極１２、２２とからなる電極対として構成されており、電極１１、１２、２１、２２の各々を基準電位（ＧＮＤ）に接続する第１切換スイッチ３２が設けられている。生体情報測定装置では、各電極部１０、２０において電極対を用いて接触インピーダンスＺｉを算出する際や心電波形の測定の際に、対象の電極対を除く電極を基準電位（ＧＮＤ）に接続している。
【先行技術文献】
【特許文献】
【０００４】
【特許文献１】特開２００８−２３７３７９号公報
【発明の概要】
【発明が解決しようとする課題】
【０００５】
ところで、特許文献１では、インピーダンス測定部から出力される検出信号が安定するのに時間が係ることから、検出信号が安定するのに要する時間が経過した後に、検出信号のサンプリングを開始する。
【０００６】
しかしながら、適切な心電波形を得る際、信号が安定するのに十分な時間を確保すると、心電波形の計測開始までに時間を要し、心電波形の計測開始までの時間を短くしようとすると、信号波形が安定していない可能性が生じて計測精度が低下する懸念がある。
【０００７】
本発明は、上記事実に鑑みてなされたものであり、心電計測を高精度にできる車両用心電検出装置を提供することを目的とする。
【課題を解決するための手段】
【０００８】
上記目的を達成するための本発明の第１の態様の車両用心電検出装置は、ステアリング体に設けられた第１電極部と、乗員が着座する座席に設けられた第２電極部と、前記第２電極部を接地極に接続した接地状態と前記接地極に非接続の非接地状態とに切替える切替部と、前記第２電極部の前記非接地状態において、前記第１電極部と前記第２電極部との差動電圧を検出し、前記第２電極部の前記接地状態において、前記第１電極部と前記接地極との差動電圧を検出する検出部と、前記検出部の検出結果に応じて前記切替部を制御する制御部と、を含む。
【０００９】
第２の態様の車両用心電検出装置は、第１の態様の車両用心電検出装置において、前記制御部は、前記第２電極部を前記接地状態として、前記検出部の検出結果から乗員の除電が終了したと判定される場合に、前記第２電極部が前記接地状態から前記非接地状態となるように前記切替部を制御する。
【００１０】
第３の態様の車両用心電検出装置は、第１又は第２の態様の車両用心電検出装置において、前記制御部は、前記第２電極部を前記非接地状態として、前記検出部の検出結果から乗員の除電が必要と判定される場合に、前記第２電極部が前記非接地状態から前記接地状態となるように前記切替部を制御する。
【００１１】
第４の態様の車両用心電検出装置は、第３の態様の車両用心電検出装置において、前記座席に着座した乗員が帯電したか否かを判定するための帯電情報を検出する帯電情報検出部を更に含み、前記制御部は、前記帯電情報検出部の検出結果と前記検出部の検出結果とに応じて、乗員の除電が必要か否かを判定する。
【００１２】
第５の態様の車両用心電検出装置は、第１から第４の何れか１の態様の車両用心電検出装置において、前記切替部は、前記第２電極部と前記検出部との接続部を前記接地状態と前記非接地状態とに切替える。
【００１３】
第６の態様の車両用心電検出装置は、第１から第５の何れか１の態様の車両用心電検出装置において、前記第１電極部は、各々が帯状とされた第１導電層、第１絶縁層、第２導電層、第２絶縁層及び第３導電層が順に積層され、前記第３導電層が前記ステアリング体の基体側にされて該基体の外周に螺旋状に巻回されて設けられ、前記第３導電層が接地され、前記第１導電層及び前記第２導電層が前記検出部に接続されている。
【発明の効果】
【００１４】
第１の態様の車両用心電検出装置では、第１電極部がステアリング体に設けられ、第２電極部が乗員の着座する座席に設けられており、第１電極部及び第２電極部は、乗員が接触する部位に設けられている。検出部は、第１電極部と非接地状態の第２電極部との差動電圧を検出する。これにより、検出部の出力から乗員の心臓の心拍における電気活動に伴うイオン電流変化を電流信号として検出できて、心電波形を得ることができる。
【００１５】
一方、切替部は、第２電極部を接地極としての車体等に接続して接地した接地状態と、接地極に非接続した非接地状態とに切替える。検出部は、切替部によって接地極に接続された接地状態とされることで、座席に着座した乗員（乗員の着衣）が接地状態とされて、乗員の着衣の静電気を除電でき、乗員の着衣に溜まった静電気に起因するノイズ（誘導雑音）を抑制できる。
【００１６】
また、検出部は、第２電極部が接地状態とされていると、第１電極部と接地極との差動電圧を検出する。制御部は、検出部によって検出される差動電圧に基づいて、乗員の除電が終了したか否かを判定でき、この判定結果に基づいて第２電極部を非接地状態に切替えることで、高精度の心電波形の生成が可能となる。
【００１７】
第２の態様の車両用心電検出装置では、第２電極部を接地状態として、検出部の検出結果から乗員の除電が終了したと判定される場合に、第２電極部が接地状態から非接地状態となるように切替部が制御される。これにより、適切なタイミングで第２電極部を接地状態から非接地状態に切替えて心電波形の生成を開始でき、高精度の心電波形を得ることができる。また、乗員の除電が完了するまでの時間に余裕を持って心電波形の得るようにした場合に比して、心電波形の生成開始までの時間短縮が可能になる。
【００１８】
第３の態様の車両用心電検出装置では、第２電極部を非接地状態として、検出部の検出結果から乗員の除電が必要と判定される場合に、第２電極部が非接地状態から接地状態となるように切替部が制御される。このため、乗員が体動するなどして帯電した場合に、除電を行なうことができるので、乗員の体動等が心電波形に影響するのを抑制できて、高精度の心電波形を得ることができる。
【００１９】
第４の態様の車両用心電検出装置では、帯電情報検出部が座席に着座した乗員が帯電したか否かを判定するための帯電情報を検出する。制御部は、帯電情報検出部の検出結果と検出部の検出結果とに応じて、乗員の除電が必要か否かを判定する。これにより、高精度の心電波形を生成するために、乗員の体動などによる単発的な検出結果の変化により、第２電極部を接地状態にしてしまうのを抑制できる。
【００２０】
第５の態様の車両用心電検出装置では、切替部が第２電極部と検出部との接続部を接地状態と非接地状態とに切替えるので、検出部の入力側を第２電極部と接地極とに切替えるための構成を不要にできる。
【００２１】
第６の態様の車両用心電検出装置では、第１電極部が、各々が帯状とされた第１導電層、第１絶縁層、第２導電層、第２絶縁層及び第３導電層が順に積層された五層構造とされてステアリング体に螺旋状に巻回されている。また、第３導電層が接地されて、第１導電層及び第２導電層が検出部に接続されている。このため、第１電極部が乗員の静電気の影響を受けるのを抑制できて、乗員の帯電状態の検出を適正に行うことができる。
【図面の簡単な説明】
【００２２】
【図１】第１実施形態に係る車両用心電検出装置の概略構成図である。
【図２】第１実施形態に係る車両用心電検出装置の主要部のブロック図である。
【図３】ステアリング電極の概略図である。
【図４】第１実施形態に係る心電計測処理の流れ図である。
【図５】差動増幅部から出力される差動信号の変化の概略を示す線図である。
【図６】図５の主要部を示す線図である。
【図７】第２実施形態に係る車両用心電検出装置の概略構成図である。
【図８】第２実施形態に係る心電計測処理の流れ図である。
【発明を実施するための形態】
【００２３】
以下、図面を参照して本発明の実施形態を詳細に説明する。
〔第１実施形態〕
図１には、第１実施形態に係る車両用心電検出装置１０の概略構成が示され、図２には、車両用心電検出装置１０の主要部の概略構成がブロック図にて示されている。なお、本実施形態において、接地状態は、車両の車体等を接地極ＧＮＤとし、接地極ＧＮＤに電気的に接続された状態を指す。
【００２４】
図１及び図２に示すように、車両用心電検出装置１０は、ステアリング電極１２、シート電極１４、１６、バッファ部１８、及び心電波形生成装置２０を備えている。ステアリング電極１２及びシート電極１４、１６は、乗員としての運転者が接触（近接）する位置に設けられている。ステアリング電極１２及びシート電極１６は、各々第１電極部及び第２電極部として機能し、ステアリング電極１２及びシート電極１６は、運転者が近接することで、運転者との間で容量結合する静電容量結合型のコンデンサを形成する。
【００２５】
ステアリング電極１２は、運転者が把持して車両の操舵に用いるステアリング体としてのステアリングホイール２２に設けられている。図３には、ステアリング電極１２が展開された状態の概略図にて示されている。
【００２６】
図３に示すように、ステアリング電極１２は、第１導電層としての電極層２４Ａ、第１絶縁層２６Ａ、第２導電層としてのドリブンシールド層２４Ｂ、第２絶縁層２６Ｂ及び第３電極層としてのグランドプレーン層２４Ｃを備えている。電極層２４Ａ、第１絶縁層２６Ａ、ドリブンシールド層２４Ｂ、第２絶縁層２６Ｂ及びグランドプレーン層２４Ｃは、各々帯状にされ、この順に広幅とされている。ステアリング電極１２は、電極層２４Ａ、第１絶縁層２６Ａ、ドリブンシールド層２４Ｂ、第２絶縁層２６Ｂ及びグランドプレーン層２４Ｃの順に積層された五層構造に形成されている。
【００２７】
ステアリング電極１２は、グランドプレーン層２４Ｃが内側とされ電極層２４Ａが外側にされてリム部２２Ａの外周に巻付けられており、ステアリング電極１２は、ドリブンシールド層２４Ｂに次のグランドプレーン層２４Ｃが重ならないようにされてステアリングホイール２２の周方向全域に螺旋状に巻付けられている（図示省略）。また、ステアリングホイール２２は、リム部２２Ａの外周部に皮革等の化粧材（図示省略）が設けられており、リム部２２Ａにおいてステアリング電極１２は、皮革等によって被覆されている。
【００２８】
ステアリング電極１２は、グランドプレーン層２４Ｃが接地され、電極層２４Ａ及びドリブンシールド層２４Ｂが心電波形生成装置２０に電気的に接続されている。これにより、運転者がステアリングホイール２２を把持すると、運転者の手がステアリング電極１２の電極層２４Ａに近接され、運転者の手とステアリング電極１２の電極層２４Ａとの間に容量結合が生じる。
【００２９】
心電波形生成装置２０は、ステアリング電極１２の電極層２４Ａ（又は電極層２４Ａとドリブンシールド層２４Ｂ）から、運転者の心臓の心拍における電気的活動に伴うイオン電流変化（交流電流）の電流信号として検出する。なお、ステアリング電極１２は、ドリブンシールド層２４Ｂが省略されると共に、第１絶縁層２６Ａ又は第２絶縁層２６Ｂが省略された三層構造等であってもよい。
【００３０】
図１に示すように、シート電極１４、１６は、座席としての車両用シート２８に着座した運転者の心臓の位置より下側の車両用シート２８のシートクッション２８Ａに各々設けられた臀部電極とされている。シート電極１４、１６は、シートカバー（図示省略）に被覆されており、シート電極１４、１６のうちシート電極１４は接地され、シート電極１６は心電波形生成装置２０に電気的に接続されている。シート電極１４、１６は、運転者が車両用シート２８に着座することで、運転者の着衣及びシートカバーを介して運転者の臀部が近接する。
【００３１】
心電波形生成装置２０は、シート電極１６から運転者の心臓の心拍における電気的活動に伴うイオン電流変化（交流電流）の電流信号として検出する。なお、図１では、車両の幅方向（運転者の左右方向）にシート電極１４、１６を配列した例を示すが、配列はこれに限るものではない。シート電極１４、１６は、車両前後方向（運転者の前後）に配列してもよく、他の方向に配列してもよい。また、シート電極１４、１６は、運転者の心臓位置の下側であれば、車両用シート２８のシートバック２８Ｂに配列してもよい。
【００３２】
図１及び図２に示すように、バッファ部１８には、バッファ回路３０、３２が設けられている。バッファ回路３０は、ステアリング電極１２と心電波形生成装置２０との間に設けられており、バッファ回路３０は、ステアリング電極１２からの信号をバッファして心電波形生成装置２０に出力する。また、バッファ回路３２は、シート電極１６と心電波形生成装置２０との間に設けられており、バッファ回路３２は、シート電極１６からの信号をバッファして心電波形生成装置２０に出力する。
【００３３】
心電波形生成装置２０は、検出部を構成する差動増幅器３４、フィルタ増幅部３６、及び信号処理部３８を備えており、心電波形生成装置２０は、ステアリング電極１２及びシート電極１６から入力される電流信号に基づいて、運転者の心電波形を生成する。
【００３４】
差動増幅器３４は、２つの入力端子の一方がステアリング電極１２に接続され、他方がシート電極１６に接続されることで、２つの入力の差動電圧（差動信号）を検出してフィルタ増幅部３６に出力する。具体的には、差動増幅器３４は、ステアリング電極１２からの入力信号とシート電極１６からの入力信号との差分を一定係数で増幅して出力する。
【００３５】
フィルタ増幅部３６は、差動増幅器３４の出力信号（差動信号）を増幅すると共に、予め定めたフィルタを用いて予め定めた範囲の周波数の信号に変換する処理（フィルタ処理）等を行なって処理結果を信号処理部３８に出力する。予め定めたフィルタとしては、例えば、ハイパスフィルタ、ローパスフィルタ、バンドパスフィルタ等のフィルタを適宜適用する。また、本実施形態では、フィルタ増幅部３６にＡ／Ｄ変換器（図示省略）が設けられており、フィルタ増幅部３６は、アナログ信号をデジタル信号に変換（Ａ／Ｄ変換）する処理及びフィルタ処理等を行なってから信号処理部３８に処理結果を出力する。
【００３６】
信号処理部３８は、ＣＰＵ（Central  Processing  Unit）、ＲＯＭ（Read  Only  Memory）、ＲＡＭ（Random  Access  Memory）及びフラッシュメモリ等の不揮発性メモリを含むコンピュータで構成されている。
【００３７】
信号処理部３８には、波形生成部４０が設けられており、信号処理部３８のＣＰＵは、メモリに予め記憶されたプログラムを実行することにより、波形生成部４０の機能を実現する。波形生成部４０は、フィルタ増幅部３６から得られる信号を用いて、心電波形を生成して出力する。
【００３８】
次に、車両用心電検出装置１０に設けられたバッファ部１８及び心電波形生成装置２０について詳細に説明する。
図２に示すように、バッファ回路３０、３２は、各々オペアンプＯＰ、抵抗Ｒ、コンデンサＣを含むブートストラップ（boot-strap）と呼ばれる正帰還回路で構成されている。これにより、バッファ回路３０、３２は、入力インピーダンスが超高インピーダンスとなり、前段の回路の影響を抑制している。
【００３９】
一方、着衣は、擦れることなどにより静電気が発生し易く、発生した静電気が溜まり易い。特に冬季などの空気が乾燥した時期では、大気中への静電気放電が生じ難く、計測対象とされる運転者の着衣にも静電気が溜まってしまう。着衣が帯電した運転者が車両用シート２８に着座すると、静電気が心電波形のノイズ（誘導雑音）源となってしまう。
【００４０】
そこで、バッファ部１８には、切替部４２が設けられている。切替部４２は、一対の接点のうちの一方の接点がシート電極１６とバッファ回路３２（オペアンプＯＰ）との間に接続され、一対の接点のうちの他方の接点が電気的に接地されている。切替部４２は、一対の接点間の開閉によりシート電極１６及びバッファ回路３２の入力側を低インピーダンスの接地状態（接地極ＧＮＤに接続された状態）と、高インピーダンス（超高インピーダンス）となる非接地状態とに切替える。
【００４１】
バッファ部１８では、切替部４２の一対の接点間が開放されることで、シート電極１６及びオペアンプＯＰの入力側が非接地状態にされる。また、バッファ部１８では、切替部４２の一対の接点間が閉じられることでシート電極１６が接地状態にされると共に、バッファ回路３２の入力側が接地状態にされる。
【００４２】
車両用心電検出装置１０では、シート電極１６が接地状態とされることで、車両用シート２８に着座した運転者の着衣から静電気が除去（除電）される。なお、車両用心電検出装置１０では、シート電極１４に加えてシート電極１６が接地状態にされることで、シート電極１６によって運転者の着衣の除電が促進される。
【００４３】
また、切替部４２によりバッファ回路３２の入力側が接地状態とされることで、差動増幅器３４の入力側は、接地極ＧＮＤに電気的に接続された状態とされる。差動増幅器３４は、切替部４２によりシート電極１６が接地状態とされることでステアリング電極１２と接地極ＧＮＤとの差動信号を出力する。これにより、フィルタ増幅部３６は、シート電極１６が非接地状態とされると、ステアリング電極１２とシート電極１６との間の差動信号に応じた信号を出力し、シート電極１６が接地状態とされると、ステアリング電極１２と接地極ＧＮＤとの間の差動信号に応じた信号を出力する。
【００４４】
一方、信号処理部３８は、制御部４４を備えている。信号処理部３８では、ＣＰＵがメモリに予め記憶されたプログラムを実行することで制御部４４の機能が実現される。制御部４４は、フィルタ増幅部３６の出力信号に基づいて切替部４２を制御して、切替部４２の接点を開閉して、シート電極１６を接地状態と非接地状態とに切替える。
【００４５】
制御部４４は、フィルタ増幅部３６の出力（差動増幅器３４の差動信号をＡ／Ｄ変換した出力でもよい）から、運転者（の着衣）の除電が不要となったか否か、及び運転者が静電気により帯電して除電が必要となったか否かを判断する。また、制御部４４は、運転者の除電が不要となったと判断すると、切替部４２を非接地側（高インピーダンス側）に切替え、運転者の除電が必要となったと判定すると、切替部４２を接地側（低インピーダンス側）に切替える。信号処理部３８は、制御部４４が切替部４２を非接地側に切替えられると、差動増幅器３４の差動信号から心電波形の検出（心電波形の生成）が可能になる。
【００４６】
次に、第１実施形態に係る車両用心電検出装置１０による運転者の心電波形の計測処理を説明する。図４には、第１実施形態に係る心電計測処理が流れ図にて示されている。また、図５には、運転者の着衣（運転者の穿いているズボン）を静電気によって帯電した状態における差動信号の変化の概略が線図にて示され、図６には、図５における主要部の差動信号（心電波形の生成に用いる信号）の変化の概略が示されている。なお、図５及び図６は、横軸が時間（sec）、縦軸が差動信号の電圧（Ｖ）とされている。
【００４７】
車両用心電検出装置１０における心電計測処理は、運転者が車両用シート２８に着座してイグニッションスイッチ（エンジンスタートスイッチなどでもよい）がオン操作されることで処理が開始され、図４のフローチャートが実行される。また、車両用心電検出装置１０では、イグニッションスイッチがオフされることで、心電波形の計測処理（図４のフローチャート）が終了する。なお、計測処理の開始及び終了は、これに限らず車両用心電検出装置１０に対するオン／オフ指示や、予め設定されたタイミングを適用できる。
【００４８】
図４では、最初のステップ１００においてシート電極１６を接地状態とするように切替部４２が制御される。なお、切替部４２は、予めシート電極１６が接地状態となるように切替えられていてもよい。
【００４９】
バッファ部１８は、シート電極１６が接地状態とされることで、バッファ回路３２のオペアンプＯＰの入力側が接地状態とされる。このため、シート電極１６（及びシート電極１４）を介して運転者の着衣が接地される。これと共に、差動増幅器３４は、ステアリング電極１２と接地極ＧＮＤとの差動信号を出力する。これにより、図５に示すように、運転者の着衣に溜まっている静電気の除去（除電）が促進されて、差動信号の低下（振幅の減少）が促進される。
【００５０】
一方、制御部４４には、第１基準値としてのしきい値ｔｈ１、及び第２基準値としてのしきい値ｔｈ２が予め設定されている。しきい値ｔｈ１は、帯電状態を判定するための帯電状態の基準とされており、ステアリング電極１２と接地極ＧＮＤとの差動信号が適用され、予め実行された実験結果に基づいて設定されている。このしきい値ｔｈ１は、運転者の着衣の静電気が心電計測に影響を及ぼすことがない状態まで除電された際の差動信号（電圧値）を適用している。
【００５１】
また、ステアリング電極１２と接地極ＧＮＤとの差動信号の変化は、運転者の呼吸が大きく影響し、差動信号の変化には、呼吸による変化に心拍による変化及びノイズが重畳される。ここから、シート電極１６の接地状態において、差動信号がしきい値ｔｈ１以下となってからの経過時間が心拍に応じて設定した時間ｎ（sec）以上となることで、運転者の着衣の静電気が心電計測に影響を及ぼすことがない状態に達したと判断できる。
【００５２】
この時間ｎは、１回分の呼吸周期以上となる時間を適用でき、複数回の呼吸周期を適用することがより好ましい。また、時間ｎを短くすることで、心電計測の開始を早めることができ、時間ｎは、５sec〜１５sec（５sec≦ｎ≦１５sec）の範囲にできる。例えば、時間ｎとしては、ｎ＝１０secを適用できる。
【００５３】
また、車両用シート２８に着座している運転者が体を動かすなどの姿勢変更を行なうと、運転者の体と着衣や着衣同士に擦れが生じて静電気が発生する。運転者の姿勢変更が大きくなると着衣に発生する静電気も大きくなって心電波形に現われ、心電波形の精度に低下が生じる。
【００５４】
ここから、制御部４４には、しきい値ｔｈ２が設定されており、しきい値ｔｈ２は、心電波形に静電気の影響（誘電雑音）が現われていると判断する基準として、予め実行された実験結果に基づいて設定されている。このしきい値ｔｈ２は、ステアリング電極１２とシート電極１６の差動信号から得られる心電波形に静電気によるノイズ信号が影響を及ぼす電圧の最低値（最低電圧）に設定されている。このため、制御部４４では、しきい値ｔｈ２は、しきい値ｔｈ１よりも低く設定されている（ｔｈ２＜ｔｈ１）。
【００５５】
図４に示すように、制御部４４は、シート電極１６を接地状態とすると、ステップ１０２〜１０６において、運転者の着衣の除電が終了したか否かを判断するために、運転者の着衣の帯電状態（除電状態）を判定する。帯電状態の判定では、具体的には、ステップ１０２においてステアリング電極１２と接地極ＧＮＤとの差動信号を読込み、ステップ１０４において差動信号がしきい値ｔｈ１以下となったか否かを確認する。
【００５６】
ここで、着衣に比して帯電量が少ないが運転者の手も帯電している。ステアリング電極１２には、グランドプレーン層２４Ｃが設けられており、グランドプレーン層２４Ｃが接地されている。このため、運転者がステアリングホイール２２を握ることで、運転者の手の静電気がグランドプレーン層２４Ｃから放電される。
【００５７】
また、ステアリング電極１２には、電極層２４Ａと共にドリブンシールド層２４Ｂが設けられており、電極層２４Ａと同様にドリブンシールド層２４Ｂにも静電気に起因するノイズが混入するが、バッファ回路３０では、電極層２４Ａとドリブンシールド層２４Ｂを用いてステアリング電極１２の電流信号を出力するので、電流信号において静電気に起因するノイズが抑制される。したがって、ステアリング電極１２を用いることで、運転者の帯電状態（除電状態）の適切な判断が可能になる。
【００５８】
制御部４４は、ステアリング電極１２と接地極ＧＮＤとの差動信号がしきい値ｔｈ１以下となると、ステップ１０４において肯定判定してステップ１０６に移行する。このステップ１０６では、差動信号がしきい値ｔｈ１以下となった状態から時間ｎ以上経過したか否かを確認する。
【００５９】
差動信号がしきい値ｔｈ１以下となった状態から時間ｎ以上が経過すると、運転者の着衣の除電が完了したと判断して、ステップ１０６において肯定判定してステップ１０８に移行する。
【００６０】
ステップ１０８では、切替部４２を制御してシート電極１６を接地状態から非接地状態に切替える。図５に示すように、シート電極１６が非接地状態とされると、差動増幅器３４の差動信号がステアリング電極１２とシート電極１６との差動信号に切替わる。これにより、図６に示すように、差動信号からＲ波の検出が可能になり、高精度の心電波形の生成が可能になる。波形生成部４０は、ステアリング電極１２とシート電極１６との差動信号に応じた心電波形の出力を開始する。
【００６１】
一方、図４に示すように、制御部４４は、心電波形の生成が開始される（シート電極１６が非接地状態とされる）と、運転者の除電が必要となったか否かを判断するために、ステップ１１０〜１１２において、運転者の帯電状態を確認する。運転者の帯電状態の確認は、ステップ１０８の心電波形の生成処理と平行して実行され、具体的には、ステップ１１０において心電波形の生成に用いられる差動信号（ステアリング電極１２とシート電極１６との差動信号）を読込む。次のステップ１１２では、所定時間内（予め設定した時間内）に複数回、差動信号がしきい値ｔｈ２以上となったか否かを確認する。この所定時間としては、運転者の複数回分の呼吸周期に対応する時間を適用でき、例えば、上記した時間ｎと同様の時間を適用できる。
【００６２】
ここで、車両用シート２８に着座している運転者が体を動かすなどの姿勢変更を行なうと、波形生成部４０から出力される心電波形に現われる。また、運転者の姿勢変更が大きくなると、運転者の着衣に静電気が発生する。運転者の着衣の静電気が少ない状態では、シート電極１４を介して除電できるが、運転者の姿勢変更が大きくなるとシート電極１４では、除電できなくなる（除電し切れなくなる）。このため、運転者の姿勢変更が大きくて、運転者の着衣に静電気が溜まると、運転者の着衣の静電気に起因するノイズがシート電極１６の電流信号に含まれ、差動信号に連続して現われる。
【００６３】
ここから、所定時間内に複数回連続して差動信号の振幅（電圧）がしきい値ｔｈ２以上となったことが検出されると、運転者の着衣が静電気によって帯電し、運転者の着衣の除電が必要となったと判断し、ステップ１１２において肯定判定してステップ１００に移行する。
【００６４】
これにより、切替部４２によりシート電極１６を非接地状態から接地状態に切替え（ステップ１００）、運転者の着衣からの除電を開始する（除電の促進を開始する）。この後、ステップ１０２に移行することで、シート電極１６を用いた運転者の着衣の除電促進を図りながら、ステアリング電極１２を用いて除電状態の確認が行われる。
【００６５】
このように、車両用心電検出装置１０では、心電波形の生成に先立って、シート電極１６を接地状態にすることで、運転者の除電を行なうので、運転者の除電を促進できて、除電に要する時間を短縮できる。また、運転者の除電の終了の確認には、ステアリング電極１２と接地極ＧＮＤとの差動信号が用いられるので、除電が終了したことを的確に確認できる。しかも、予め設定したしきい値ｔｈ１を用いて除電状態を判断するので、除電状態を適正に判断できる。
【００６６】
さらに、除電が終了すると、切替部４２によりシート電極１６の接地状態から非接地状態に切替えられて、ステアリング電極１２とシート電極１６との差動信号に応じた心電波形の生成が開始される。これにより、適切なタイミングで心電波形の生成を開始できて、除電が終了した状態を予測して心電波形の生成を開始する場合に比べて、迅速に心電波形の生成を開始できると共に、静電気の影響を受けない高精度の心電波形を生成できる。
【００６７】
一方、車両用心電検出装置１０では、心電波形の生成を開始すると、ステアリング電極１２とシート電極１６との差動信号を用いて、運転者が除電の必要な帯電状態となったか否かを判断する。また、運転者の除電が必要となったと判断すると、切替部４２によりシート電極１６を非接地状態から接地状態に切替える。これにより、シート電極１６が接地状態とされるので、運転者の除電を促進できる。
【００６８】
また、シート電極１６を接地状態とすることで、ステアリング電極１２とシート電極１６との差動信号を用いた心電波形の生成が中断されるので、精度の低い心電波形が生成されるのを抑制できる。また、除電が終了すると、心電波形の生成が開始されるので、高精度の心電波形を生成できる。しかも、予め設定したしきい値ｔｈ２を用いて運転者の帯電状態を判断するので、運転者が帯電したことを適正に判断できる。
【００６９】
一方、切替部４２は、差動増幅器３４の前段のバッファ回路３２とシート電極１６との接続部を接地状態と非接地状態とに切替える。このため、ステアリング電極１２と接地極ＧＮＤとの差動信号を検出するために、差動増幅器３４の入力側をシート電極１６と接地極ＧＮＤとに切替えるための構成を不要にでき、かつシート電極１６の非接地状態と接地状態とに合わせた的確な切替えが可能になる。
【００７０】
〔第２実施形態〕
次に第２実施形態を説明する。
図７には、第２実施形態に係る車両用心電検出装置５０が概略構成図にて示されている。なお、第２実施形態では、第１実施形態と同様の機能部品については、第１実施形態と同様の符号を付与して詳細な説明を省略する。
【００７１】
第２実施形態において車両用心電検出装置５０は、車両用心電検出装置１０に替えて用いられている。車両用心電検出装置５０は、帯電状態検出部としてのカメラ５２、及びカメラ５２の撮影画像に対して所定の画像処理を行なう画像処理部５４を備える点で、車両用心電検出装置１０と相違する。
【００７２】
カメラ５２は、運転者が除電の必要な帯電状態となったか否かを判断するために運転者を撮像する撮像手段として用いられる。なお、第２実施形態では、運転者が除電の必要な帯電状態となったか否かを判断するための帯電情報として、カメラ５２の撮影画像を用いて説明するが、帯電情報は、これに限るものではない。運転者の体が動くことで静電気が発生して、発生した静電気が着衣に溜まる。ここから、帯電情報は、着衣に静電気が溜まるような動作を運転者がしたか否かを判断できる情報であればよく、例えば、帯電情報は、車両用シート２８に設けて運転者の体動による圧力変化を検出する圧力センサなどを用いて取得してもよい。
【００７３】
カメラ５２は、車両用シート２８に着座した運転者の体（衣服を着用した胴体部分）の動きの大きさを判別可能の映像の撮影が可能であればよい。また、カメラ５２は、車室内において運転者が着座する車両用シート２８の車両前側において運転者の腰部から上の部分（少なくとも両肩までの部分）を撮像領域に含まれるように配置されればよく、ルームミラーに設けられてもよく、インストルメントパネルやルーフのフロントウインドガラス側部分に設けられてもよい。
【００７４】
信号処理部３８には、画像処理部５４が設けられており、画像処理部５４には、カメラ５２が接続されている。画像処理部５４は、カメラ５２の撮影画像に対して画像処理を行なって運転者の胴体の輪郭を抽出し、運転者の胴体の輪郭の変化の大きさ（移動量など）などを帯電情報として取得し、取得した帯電情報を制御部４４に出力する。
【００７５】
制御部４４は、画像処理部５４から入力される帯電情報から、運転者が帯電したと判断するか、運転者が帯電した可能性が高いと判断すると、ステアリング電極１２とシート電極１６との差動信号を用いて、運転者が心電波形に影響する帯電状態となったか否かを確認する。また、制御部４４は、運転者が心電波形に影響する帯電状態となったことが確認されると、切替部４２を制御してシート電極１６を接地状態とすることで、運転者の除電を行なう。
【００７６】
図８には、第２実施形態に係る車両用心電検出装置５０の心電計測処理が示されている。このフローチャートは、第２実施形態において、第１実施形態の図４のフローチャートに変えて実行される。
【００７７】
図８に示すように、車両用心電検出装置５０では、運転者の除電が終了したことを確認し、シート電極１６を接地状態から非接地状態に切替えて心電波形の生成を開始する（ステップ１０８）と、運転者が除電の必要な帯電状態となったか否かの判断を開始する。この判断は、心電波形の生成処理と平行して実行される。
【００７８】
運転者が除電の必要な帯電状態となったか否かの判断は、具体的には、ステップ１２０においてカメラ５２により撮像された運転者の撮影画像を読込んで運転者の体動が検出されたか否かを確認する。運転者の体動とは、運転者の体に静電気を生じさせると共に、発生した静電気が溜まってしまうような動きをいう。
【００７９】
ここで、車両用シート２８に着座した運転者の体が大きく動くことで、運転者の体と着衣や着衣同士が擦れて静電気が発生して、発生した静電気が着衣に溜まってしまう。また、運転者の体が小刻みに動いた場合であっても、運転者の体と着衣や着衣同士が長い時間擦れることで静電気が発生して、発生した静電気が着衣に溜まってしまう。これらの場合、運転者の着衣に除電が必要なほどに静電気が溜まっている可能性があるとして運転者が帯電する可能性のある体動があったと判断されて、ステップ１２０において肯定判定してステップ１２２に移行する。
【００８０】
運転者が体動するとステアリング電極１２とシート電極１６との差動信号に変化が生じ、心電波形に影響を及ぼすことがある。ここから、ステップ１２２では、心電波形の生成を一時中断する。次のステップ１２４では、カメラ５２の撮影画像から運転者の体動が収まったか否かを確認し、運転者の体動が収まったと判断されると、肯定判定してステップ１１０に移行する。
【００８１】
これにより、ステアリング電極１２とシート電極１６との差動信号を用いた運転者の帯電状態が判断される（ステップ１１０、１１２）。これにより、運転者が帯電して、除電が必要であると判断される（ステップ１１２で肯定判定）と、ステップ１００に移行して、運転者の除電を開始する。
【００８２】
これに対して、運転者が除電の必要な帯電状態に達していないと判断されると、ステップ１１２で否定判定して、ステップ１２６に移行する。このステップ１２６では、中断していた心電波形の生成を再開する。
【００８３】
これにより、車両用心電検出装置５０は、車両用心電検出装置１０と同様の効果を奏することができる。
【００８４】
一方、車両用シート２８に着座している運転者が体を動かすなどの姿勢変更を行なうと、ステアリング電極１２とシート電極１６との差動信号に運転者の体動に起因する変化が現われる。このため、運転者の体動が波形生成部４０から出力される心電波形に影響を与える。
【００８５】
ここで、車両用心電検出装置５０では、カメラ５２によって運転者の所定以上の体動が検出されると、心電波形の生成を一時停止する。これにより、運転者の体動に起因して精度に低下が生じた心電波形が出力されてしまうのを抑制できる。
【００８６】
また、運転者の体動が長くなった場合、運転者が除電の必要な帯電状態となっていないにもかかわらず、ステアリング電極１２とシート電極１６との差動信号が連続してしきい値ｔｈ２以上となってしまうことがある。これにより、シート電極１６が非接地状態から接地状態に切替えられると、シート電極１６が接地状態から非接地状態に切替わるまでは、運転者の除電が必要ないにもかかわらず、心電波形の生成が中断されてしまう。
【００８７】
これに対して、車両用心電検出装置５０では、運転者の体動が検出されると、体動が収まるまで心電波形の生成を停止（中断）するが、運転者の体動が収まりかつ運転者に除電が必要な帯電状態となっていなければ、心電波形の生成を開始できる。
【００８８】
これにより、車両用心電検出装置５０では、運転者が除電の必要となるまで帯電していないにもかかわらず、運転者の除電が終了しているか否かの確認のために心電波形の生成が一時停止（中断）してしまうのを抑制できる。しかも、運転者に除電が必要な帯電状態となっていると、心電波形の生成を開始せずに、シート電極１６を接地して運転者の除電を行い、運転者の除電が終了してから心電波形の生成を開始するので、高精度の心電波形を生成できる。
【００８９】
なお、車両用心電検出装置５０は、カメラ５２の撮影画像（圧力センサなどの他の検出手段が用いられてもよい）から運転者に除電の必要な体動（姿勢変更）があったか否かを確認した。しかしながら、冬季などの空気が乾燥した時期は、大気中への静電気放電がし難く、運転者の体に静電気が溜まり易い。例えば、日射のある冬季等では、雨天などの場合に比較し運転者の体動が小さい場合であっても、運転者が帯電する可能性がある。ここから、車両の走行環境等の検出し、検出した走行環境を含めて運転者に除電が必要な帯電状態になったか否かを判断するようにしてもよい。
【００９０】
なお、以上説明した第１実施形態及び第２実施形態では、検出部として差動増幅器３４を設け差動増幅器３４がステアリング電極１２とシート電極１６との差動信号及びステアリング電極１２と接地極ＧＮＤとの差動信号を検出した。しかしながら、第１電極部と第２電極部との差動信号（差動電圧）を検出する検出部とは別に、第１電極部と接地極との差動信号を検出する検出部が設けられてもよい。
【符号の説明】
【００９１】
１０、５０・・・車両用心電検出装置、１２・・・ステアリング電極（第１電極部）、１６・・・シート電極（第２電極部）、２０・・・心電波形生成装置、２２・・・ステアリングホイール（ステアリング体）、２４Ａ・・・電極層（第１導電層）、２４Ｂ・・・ドリブンシールド層（第２導電層）、２４Ｃ・・・グランドプレーン層（第３導電層）、２６Ａ・・・第１絶縁層、２６Ｂ・・・第２絶縁層、２８・・・車両用シート（座席）、３４・・・差動増幅器（検出部）、４２・・・切替部、４４・・・制御部、５２・・・カメラ（帯電情報検出部）。
【図１】
2020195728.tif 000003
【図２】
2020195728.tif 000004
【図３】
2020195728.tif 000005
【図４】
2020195728.tif 000006
【図５】
2020195728.tif 000007
【図６】
2020195728.tif 000008
【図７】
2020195728.tif 000009
【図８】
2020195728.tif 000010